(57)【要約】【課題】狭域無線通信システムから広域無線データ通信システムへの切替え動作をよりスムースに行う。【解決手段】一定の通信エリア６内で移動体機３とデータ通信を行う路側装置４を複数用いる狭域無線通信システム５と、より広域の通信エリア８で通信を行う基地局９を複数用いる広域無線通信システム７とが共存する通信システムにおいて、移動体機３と狭域無線通信システムの路側装置４との通信内容に応じて当該移動体機３が広域無線通信システム７の通信機能を備えているか否かを判定し、通信機能を備えていると判定された場合は、広域無線通信システムの基地局９が移動体機３に対して送信している報知情報を、狭域無線通信システムの路側装置４から当該移動体機３に対して送信する。【選択図】  図１
2006333336.tif 000002
【特許請求の範囲】
【請求項１】
一定の領域内で移動体機とデータ通信を行う路側装置を複数用いる狭域無線通信システムと、路側装置よりも広域の領域で通信を行う基地局を複数用いる広域無線通信システムとが共存する通信システムにおいて、
移動体機と狭域無線通信システムの路側装置との通信内容に応じて当該移動体機が広域無線通信システムの通信機能を備えているか否かを判定し、
前記通信機能を備えていると判定された場合は、広域無線通信システムの基地局が移動体機に対して送信している報知情報を、狭域無線通信システムの路側装置から当該移動体機に対して送信すること
を特徴とするデータ通信方法。
【請求項２】
さらに、
移動体機の位置を広域無線通信システムに登録するための情報を、狭域無線通信システムによって移動体機から路側装置へと伝送し、
狭域無線通信システムから広域無線通信システムに対して当該位置登録情報を送信し、
広域無線通信システムで当該移動体機の位置登録を行うこと
を特徴とする請求項１に記載のデータ通信方法。
【請求項３】
さらに、
移動体機が広域無線通信システムに対して発呼するための情報を、狭域無線通信システムによって移動体機から路側装置へと伝送し、
狭域無線通信システムから広域無線通信システムに対して当該発呼用情報を送信し、
広域無線通信システムの基地局から当該移動体機に対して当該発呼用情報に対する応答情報を送信すること
を特徴とする請求項１又は２に記載のデータ通信方法。
【請求項４】
一定の領域内で移動体機とデータ通信を行う路側装置を複数用いる狭域無線通信システムと、路側装置よりも広域の領域で通信を行う基地局を複数用いる広域無線通信システムとが共存する通信システムにおいて、
移動体機と狭域無線通信システムの路側装置との通信内容に応じて当該移動体機が広域無線通信システムの通信機能を備えているか否かを判定し、
前記通信機能を備えていると判定された場合は、広域無線通信システムの基地局が移動体機に対して送信している報知情報を、狭域無線通信システムの路側装置から当該移動体機に対して送信すること
を特徴とするデータ通信システム。
【請求項５】
一定の領域内で移動体機とデータ通信を行う路側装置を複数用いる狭域無線通信システムと、路側装置よりも広域の領域で通信を行う基地局を複数用いる広域無線通信システムとが共存する通信システムにおいて、
狭域無線通信システムによる移動体機との通信内容に応じて当該移動体機が広域無線通信システムの通信機能を備えているか否かを判定し、
通信機能を備えていると判定された場合は、広域無線通信システムの基地局が移動体機に対して送信している報知情報を、狭域無線通信システムによって当該移動体機に対して送信すること
を特徴とする路側装置。
【請求項６】
一定の領域内で移動体機とデータ通信を行う路側装置を複数用いる狭域無線通信システムと、路側装置よりも広域の領域で通信を行う基地局を複数用いる広域無線通信システムとが共存する通信システムにおいて、
狭域無線通信システムの路側装置に対して当該移動体機が広域無線通信システムの通信機能を備えている旨を表す情報を送信し、
広域無線通信システムの基地局が移動体機に対して送信している報知情報を、狭域無線通信システムの路側装置から受信すること
を特徴とする移動体機。
【請求項７】
広域無線通信システムの位置登録に関する上り通信チャンネルの情報を、狭域無線通信チャンネルにて送信することを特徴とする請求項６に記載の移動体機。
【請求項８】
広域無線通信システムの発呼動作に関わるメッセージのやり取りを、狭域無線通信チャンネルにて行うことを特徴とする請求項６又は７に記載の移動体機。
【発明の詳細な説明】
【技術分野】
【０００１】
本発明は、電波の照射領域が極めて狭い範囲に限定される狭域通信(ＤＳＲＣ：Ｄｅｄｉｃａｔｅｄ  Ｓｈｏｒｔ  Ｒａｎｇｅ  Ｃｏｍｍｕｎｉｃａｔｉｏｎ）において、通信範囲を拡大することを可能にする通信方法を効率的に実現するデータ通信技術に関するものである。
【背景技術】
【０００２】
現在、有料道路におけるノンストップ自動料金収受（ＥＴＣ：Ｅｌｅｃｔｒｉｃ  Ｔｏｌｌ  Ｃｏｌｌｅｃｔｉｏｎ）を目的としたシステムが運用されている。このＥＴＣシステムの通信方法として開発された狭域通信では、料金所等必要とされるスポット的な個別通信領域のみでのデータ伝送であり、その通信時間は極めて限定され大きな情報量を送ることは出来なかった。
【０００３】
このような点に鑑みて、特許文献１においては、狭域無線通信システムにオーバレイする様に携帯無線通信システム等の広域無線通信システムを配し、狭域無線通信システムの制御網と広域無線通信システムの制御網を接続する構成をとった上で、狭域無線通信システムにおいて、送ることが出来なかったパケットが発生した場合において、該パケットを広域無線通信システムで再度送る制御を行うことで当初の課題を解決しようとしている。しかしながら、あるパケットが未達になってから広域無線通信システムでパケットを送ろうとしたとき、すなわちタイムアウトになってから通信システムを切替える動作を行うことになっている。
【特許文献１】特開２００２−１５２１１２号公報
【発明の開示】
【発明が解決しようとする課題】
【０００４】
従来の技術では、ＤＳＲＣなどの通信範囲の限られている狭域無線通信システム（無線データ通信手段）とセルラーシステム等の広域無線通信システム（広域無線データ通信手段）とを兼ね備える通信システムにおいて、通信範囲の限られている無線通信手段から、広域無線データ通信手段に通信チャンネルを切替える場合において、片方の通信手段のタイムアウトを待ってから、別の通信手段への接続をおこなっている為、通信の切替えが高速でできないなどの不都合が生じている。
【０００５】
本発明は、上記のような事情を考慮してなされたものであり、ＤＳＲＣなどの通信範囲の限られている狭域無線通信システムとセルラーシステム等の広域無線通信システムとを兼ね備える通信システムにおいて、通信範囲の限られている狭域無線通信システムから、広域無線通信システムに通信チャンネルを切替える場合において、その切替え動作をよりスムースに行うことが出来るデータ通信技術を提供することを目的とする。
【課題を解決するための手段】
【０００６】
上記の課題を解決するために、第１の発明は、一定の領域内で移動体機とデータ通信を行う路側装置を複数用いる狭域無線通信システムと、路側装置よりも広域の領域で通信を行う基地局を複数用いる広域無線通信システムとが共存する通信システムにおいて、移動体機と狭域無線通信システムの路側装置との通信内容に応じて当該移動体機が広域無線通信システムの通信機能を備えているか否かを判定し、前記通信機能を備えていると判定された場合は、広域無線通信システムの基地局が移動体機に対して送信している報知情報を、狭域無線通信システムの路側装置から当該移動体機に対して送信することを特徴とするデータ通信方法を提供する。
【０００７】
また第２の発明は、第１の発明に係るデータ通信方法において、さらに、移動体機の位置を広域無線通信システムに登録するための情報を、狭域無線通信システムによって移動体機から路側装置へと伝送し、狭域無線通信システムから広域無線通信システムに対して当該位置登録情報を送信し、広域無線通信システムで当該移動体機の位置登録を行うことを特徴とするデータ通信方法を提供する。
【０００８】
また第３の発明は、第１または２の発明に係るデータ通信方法において、さらに、移動体機が広域無線通信システムに対して発呼するための情報を、狭域無線通信システムによって移動体機から路側装置へと伝送し、狭域無線通信システムから広域無線通信システムに対して当該発呼用情報を送信し、広域無線通信システムの基地局から当該移動体機に対して当該発呼用情報に対する応答情報を送信することを特徴とするデータ通信方法を提供する。
【０００９】
第４の発明は、一定の領域内で移動体機とデータ通信を行う路側装置を複数用いる狭域無線通信システムと、路側装置よりも広域の領域で通信を行う基地局を複数用いる広域無線通信システムとが共存する通信システムにおいて、移動体機と狭域無線通信システムの路側装置との通信内容に応じて当該移動体機が広域無線通信システムの通信機能を備えているか否かを判定し、前記通信機能を備えていると判定された場合は、広域無線通信システムの基地局が移動体機に対して送信している報知情報を、狭域無線通信システムの路側装置から当該移動体機に対して送信することを特徴とするデータ通信システムを提供する。
【００１０】
第５の発明は、一定の領域内で移動体機とデータ通信を行う路側装置を複数用いる狭域無線通信システムと、路側装置よりも広域の領域で通信を行う基地局を複数用いる広域無線通信システムとが共存する通信システムにおいて、狭域無線通信システムによる移動体機との通信内容に応じて当該移動体機が広域無線通信システムの通信機能を備えているか否かを判定し、通信機能を備えていると判定された場合は、広域無線通信システムの基地局が移動体機に対して送信している報知情報を、狭域無線通信システムによって当該移動体機に対して送信することを特徴とする路側装置を提供する。
【００１１】
第６の発明は、一定の領域内で移動体機とデータ通信を行う路側装置を複数用いる狭域無線通信システムと、路側装置よりも広域の領域で通信を行う基地局を複数用いる広域無線通信システムとが共存する通信システムにおいて、狭域無線通信システムの路側装置に対して当該移動体機が広域無線通信システムの通信機能を備えている旨を表す情報を送信し、広域無線通信システムの基地局が移動体機に対して送信している報知情報を、狭域無線通信システムの路側装置から受信することを特徴とする移動体機を提供する。
【００１２】
第７の発明は、第６の発明に係る移動体機において、広域無線通信システムの位置登録に関する上り通信チャンネルの情報を、狭域無線通信チャンネルにて送信することを特徴とする移動体機を提供する。
【００１３】
第８の発明は、第６または第７の発明に係る移動体機において、広域無線通信システムの発呼動作に関わるメッセージのやり取りを、狭域無線通信チャンネルにて行うことを特徴とする移動体機を提供する。
【発明の効果】
【００１４】
上記構成によれば、狭域無線通信システムによるデータ通信中に広域無線通信システムにおける報知情報の取得や、位置登録動作、発呼動作を行うことができるので、通信範囲の限られている狭域無線通信システムから広域無線通信システムへの切替え動作をよりスムースに行うことが出来る。
【発明を実施するための最良の形態】
【００１５】
以下、図面を用いて本発明の実施の形態について説明する。
図１は、本発明の実施の一形態に係るデータ通信システムの構成を示した図である。本システムでは道路１上を移動する自動車等の移動手段２に取り付けられる、ないし搭載されているの移動体機３に対して、スポット的に複数のＤＳＣＲ路側機４が設置されており、狭域無線通信システム（ＤＳＲＣシステム）５の複数の通信エリア６が提供される。
【００１６】
移動体機３は、狭域無線通信システム５用のデータ送受信機能と、広域無線データ通信システム７用のデータ送受信機能との両者を備えている無線通信端末である。両機能は、１台の通信端末装置内に実現されるものであってもよいし、各機能用の各１台の通信端末装置を所定の接続手段で接続することで実現されるものであってもよい。
【００１７】
一方でスポット的に配された狭域無線通信システム５のエリア６を包含するように広域無線データ通信システム７の通信エリア８が設定される。広域無線データ通信システム７の例としては、ＰＨＳ（登録商標；Ｐｅｒｓｏｎａｌ  Ｈａｎｄｙｐｈｏｎｅ  Ｓｙｓｔｅｍ）のようなＴＤＤ−ＴＤＭＡ（Ｔｉｍｅ  Ｄｉｖｉｓｉｏｎ  Ｄｕｐｌｅｘ−Ｔｉｍｅ  Ｄｉｖｉｓｉｏｎ  Ｍｕｌｔｉｐｌｅ  Ａｃｃｅｓｓ）システムでも良いし、ＰＤＣ（Ｐｅｒｓｏｎａｌ  Ｄｉｇｉｔａｌ  Ｃｅｌｌｕｌａｒ）、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＧＰＲＳ（Ｇｅｎｅｒａｌ  Ｐａｃｋｅｔ  Ｒａｄｉｏ  Ｓｅｒｖｉｃｅ）のようなＦＤＤ−ＴＤＭＡ（Ｆｒｅｑｕｅｎｃｙ  Ｄｉｖｉｓｉｏｎ  Ｄｕｐｌｅｘ−ＴｉｍｅＤｉｖｉｓｉｏｎ  Ｍｕｌｔｉｐｌｅ  Ａｃｃｅｓｓ）システムでも良い、さらにＣＤＭＡ（Ｃｏｄｅ  Ｄｉｖｉｓｉｏｎ  Ｍｕｌｔｉｐｌｅ  Ａｃｃｅｓｓ）システムであっても良く、ＨＲＰＤ（Ｈｉｇｈ  Ｒａｔｅ  Ｐａｃｋｅｔ  Ｄａｔａ）システムやＨＳＤＰＡ（Ｈｉｇｈ  Ｓｐｅｅｄ  Ｄｏｗｎｌｉｎｋ  Ｐａｃｋｅｔ  Ａ    
【００１８】
本実施の形態においては、移動体機３は先ず狭域の無線システム５と通信を開始する。狭域無線通信システム５との通信時間は、移動体機３が移動していること、狭域無線通信システム５の通信エリア６が限定されていること、以上の２点を考慮して限定されているものと想定される。本実施の形態では、狭域無線通信システム５の通信が確立した後に広域無線データ通信システム７との通信に必要なデータ、すなわち報知メッセージの受信は狭域無線通信システム５を介して行うようにしている。そして、狭域無線通信システム５から広域無線データ通信システム７に対して無線通信チャネルの切替を行う場合には、狭域無線通信システム５によって予め取得した報知メッセージの情報を利用するようにしている。
【００１９】
広域無線データ通信システム７においては複数の基地局９が同時に動いている為に広域無線データ通信システム７に対して同期を取るためには多くの報知情報を受信した後、位置登録動作、発呼動作を行う必要がある。これらの通信は通常共通制御チャンネルを介して行われる。広域無線データ通信システム７の共通制御チャンネルの通信速度は、基地局９から離れた移動体機３でも通信が確立できるように低く抑えられている。例えば、最高で１５３ｋｂｐｓの上りデータ通信が可能なＣＤＭＡ２０００（登録商標）システムやＨＲＰＤシステムにおいてさえ共通制御チャンネルの通信速度は９．６ｋｂｐｓである。この為通信を確立させるための通信に非常に長い時間が掛かってしまう。一方、狭域無線通信システム５の特徴として、限られた通信範囲ではあるが、広域無線データ通信システム７の共通制御チャネルよりも高速のデータ通信を提供している。この為、上記共通制御チャンネルで送る上位レイヤのメッセージを狭域無線通信システム５で代わりに送る制御を提供すれば、広域無線データ通信はより速く確立させることが可能となる。
【００２０】
図１では、移動体機３が一定の領域で電波を送受する機能を有し、ＤＳＣＲ路側機４はその通信エリア６内に位置する移動体機３とデータを送受信する。狭域無線通信システム５は、複数のＤＳＣＲ路側機４と、複数のＤＳＣＲ路側機４を制御するＤＳＣＲ制御装置１０とから構成されている。ＤＳＣＲ制御装置１０は、複数のＤＳＣＲ路側機４を制御するとともに、ネットワーク１１を介して他の装置との間でデータ通信を行う機能を有している。一方、広域無線データ通信システム７は、複数の基地局９と、基地局９の制御装置である複数の広域無線データ通信基地局装置１２と、複数の広域無線データ通信基地局装置１２の制御装置である広域無線データ通信集中制御装置１３とから構成されている。そして、狭域無線通信システム５と広域無線データ通信システム７とは、光通信や高速データ通信等の所定の通信方式で構成されたネットワーク１１を介して接続され、通信エリア６と通信エリア８とが重なる領域において両通信システムが共存されるようになっている。
【００２１】
図２は、図１の実施の形態における制御の手順を示したフローチャートである。図１の通信システムでは、狭域無線（ＤＳＲＣ）システムにて移動体機３と路側機４が通信を開始する（ステップＳ１１）。次に移動体機３が広域無線データ通信機能を備えているかを判定する（ステップＳ１２）。移動体機３が広域無線データ通信機能を備えている場合、ＤＳＣＲ路側機４は、狭域通信システム５の制御装置１０を介して広域無線データ通信システム７のＤＳＣＲ路側機４の存在するエリア８の基地局９が送信している報知メッセージを得る（ステップＳ１３）。基地局９からＤＳＣＲ路側機４への報知メッセージの流れは、例えば、基地局９→広域無線データ通信基地局装置１２→広域無線データ通信集中制御装置１３→ネットワーク１１→ＤＳＣＲ制御装置１０→ＤＳＣＲ路側機４となる。
【００２２】
次に、ＤＳＣＲ路側機４は、移動体機３に対して当該エリア８における広域無線データ通信システム基地局９が送信している報知メッセージをデータカプセル化（パケット化）して送信する（ステップＳ１４）。移動体機３は、当該エリア８における広域無線データ通信システム基地局９の報知メッセージを路側装置４から受信する（ステップＳ１５）。ここで処理が終了する。
【００２３】
一方、ステップＳ１２で移動体機３が広域無線データ通信機能を備えていないと判定された場合にはそこで処理が終了する。
【００２４】
以上の処理によって、移動体機３は、狭域無線通信システム５によるデータ通信中に広域無線データ通信システム７の基地局９が送信している報知メッセージを受信することができる。この報知メッセージを利用することで狭域無線通信システム５用の通信チャネルから広域無線データ通信システム７用の通信チャンネルへの切替え動作をスムースに行うことが可能となる。
【００２５】
図３は、図１の実施の形態における制御の手順の他の例を示したフローチャートである。図３に示す例では、図２の制御手順に対して、移動体機３から、広域無線データ通信システム７の位置登録に関する上り通信チャンネルの情報を、狭域無線通信システム５の通信チャンネルにて送信する手順が追加されている。図３にて図２と同様の処理については同一の符号を付けて説明を省略する。
【００２６】
移動体機３は、図２を参照して説明した手順によって、当該エリア８における広域無線データ通信システム基地局９の報知メッセージを路側装置４から受信する（ステップＳ１１〜Ｓ１５）。次に、移動体機３が広域無線データ通信システム７の位置登録用の機能に対して位置登録を行うかを判定する（ステップＳ２１）。位置登録を行う場合、移動体機３は広域無線データ通信システム７に対する位置登録メッセージをパケット化する（ステップＳ２２）。この位置登録メッセージには、広域無線通信システム７の位置登録に関する上り通信チャンネルの情報が含まれている。
【００２７】
次に移動体機３はパケット化された位置登録メッセージを狭域無線通信システム５にて送信する（ステップＳ２３）。ＤＳＲＣ路側機４および制御装置１０は移動体機３から送られた位置登録メッセージパケットを広域無線データ通信システム７の広域無線データ通信集中制御装置１３に送る（ステップＳ２４）。ここで移動体機３の位置登録動作が完了する（ステップＳ２５）。
【００２８】
一方、ステップＳ１２で移動体機３が広域無線データ通信機能を備えていないと判定された場合、又はステップＳ２１で移動体機３が位置登録を行わないと判定された場合、処理は終了する。
【００２９】
以上の処理によって、移動体機３は、狭域無線通信システム５によるデータ通信中に広域無線データ通信システム７の基地局９が送信している報知メッセージを受信することができ、さらに広域無線データ通信システム７に対する位置登録を行うことができる。報知メッセージを事前に取得でき、また位置登録を予め行うことができるので、狭域無線通信システム５用の通信チャネルから広域無線データ通信システム７用の通信チャンネルへの切替え動作をスムースに行うことが可能となる。
【００３０】
図４は、図１の実施の形態における制御の手順のさらに他の例を示したフローチャートである。図４に示す例では、図３の制御手順に対して、移動体機３が行う広域無線通信システム７の発呼動作に関わるメッセージのやり取りを狭域無線通信システム５の通信チャンネルにて行う手順が追加されている。図４にて図２及び図３と同様の処理については同一の符号を付けて説明を省略する。
【００３１】
移動体機３は、図２を参照して説明した手順によって、当該エリア８における広域無線データ通信システム基地局９の報知メッセージを路側装置４から受信する（ステップＳ１１〜Ｓ１５）。移動体機３は、また、図３を参照して説明した手順によって、当該エリア８における広域無線データ通信システム７に対して位置登録を行う（ステップＳ２１〜Ｓ２５）。次に、移動体機３が広域無線データ通信システム７の通話機能に対して発呼を行うかを判定する（ステップＳ３１）。
【００３２】
発呼する場合、移動体機３は広域無線データ通信システム７に対するオリジネーションメッセージをパケット化する（ステップＳ３２）。次に移動体機３はパケット化されたオリジネーションメッセージを狭域無線通信システム５にて送信する（ステップＳ３３）。次にＤＳＲＣ路側機４および制御装置１０は移動体機３から送られたオリジネーションメッセージパケットを広域無線データ通信システム７の広域無線データ通信集中制御装置１３に送る（ステップＳ３４）。広域無線データ通信集中制御装置１３は、当該移動体機３を収容している基地局９を介して移動体機３に対してオリジネーションメッセージのレスポンスを返送する（ステップＳ３５）。以上で処理が終了する。
【００３３】
一方、ステップＳ１２で移動体機３が広域無線データ通信機能を備えていないと判定された場合、ステップＳ２１で移動体機３が位置登録を行わないと判定された場合、又はステップＳ３１で移動体機３が発呼を行わないと判定された場合、処理は終了する。
【００３４】
以上の処理によって、移動体機３は、狭域無線通信システム５によるデータ通信中に広域無線データ通信システム７の基地局９が送信している報知メッセージを受信することができ、広域無線データ通信システム７に対する位置登録を行うことができ、さらに移動体機３が行う広域無線通信システム７の発呼動作に関わるメッセージのやり取りを狭域無線通信システム５の通信チャンネルにて行うことができる。したがって、報知メッセージを事前に取得でき、また位置登録を予め行うことができ、さらに発呼動作に関わるメッセージのやり取りを予め行うことができるので、狭域無線通信システム５用の通信チャネルから広域無線データ通信システム７用の通信チャンネルへの切替え動作をスムースに行うことが可能となる。
【００３５】
図５は、図１の移動体機３の構成の一例を示した図である。図５に示す移動体機３は、狭域無線通信システム機能を担当する無線部分３１、広域無線データ通信システム機能を担当する無線部分３２、切替処理部３３、及び上位アプリケーションデータ・上位レイヤ処理部３４から構成されている。狭域無線通信システム機能を担当する無線部分３１は、ベースバンド処理部３１１、送信系信号処理部３１２、送信系ＲＦ（Ｒａｄｉｏ  Ｆｒｅｑｕｅｎｃｙ）ブロック３１３、送受切換器（デュプレクサ）３１４、アンテナ３１５、受信系ＲＦブロック３１６、及び受信系信号処理部３１７から構成されている。広域無線データ通信システム機能を担当する無線部分３２は、ベースバンド処理部３２１、送信系信号処理部３２２、送信系ＲＦブロック３２３、送受切換器３２４、アンテナ３２５、受信系ＲＦブロック３２６、及び受信系信号処理部３２７から構成されている。
【００３６】
図５において、狭域無線通信システム機能を担当する無線部分３１は狭域無線通信システム５に対する無線通信機能を提供し、広域無線データ通信システム機能を担当する無線部分３２は広域無線データ通信システム７に対する無線通信機能を提供する。ベースバンド処理部３１１又はベースバンド処理部３２１は、切替処理部３３から入力され又は切替処理部３３へ出力される信号であって、無線周波数帯の信号に変調される前の又は信号を復調して得た信号を処理する。送信系信号処理部３１２又は送信系信号処理部３２２は、ベースバンド処理部３１１又はベースバンド処理部３２１で処理された送信用信号を入力し、送信系ＲＦブロック３１３又は送信系ＲＦブロック３２３に対して出力する。送信系ＲＦブロック３１３又は送信系ＲＦブロック３２３は、入力された信号を送信周波数帯の信号に変調し、デュプレクサ３１４又はデュプレクサ３２４を介して、アンテナ３１５又はアンテナ３２５から送信する。
【００３７】
受信系ＲＦブロック３１６又は受信系ＲＦブロック３２６は、デュプレクサ３１４又はデュプレクサ３２４を介して入力されたアンテナ３１５又はアンテナ３２５で受信された信号を復調し、復調後の受信信号を出力する。受信系信号処理部３１７又は受信系信号処理部３２７は、受信系ＲＦブロック３１６又は受信系ＲＦブロック３２６から入力された受信信号に対してベースバンド処理部３１１又はベースバンド処理部３２１へ出力するのに必要な処理を行って、ベースバンド処理部３１１又はベースバンド処理部３２１に対して処理結果を出力する。
【００３８】
切替処理部３３は、上位アプリケーションデータ・上位レイヤ処理部３４から供給された信号をベースバンド処理部３１１もしくはベースバンド処理部３２１のいずれかに供給したり、ベースバンド処理部３１１もしくはベースバンド処理部３２１から出力された信号を上位アプリケーションデータ・上位レイヤ処理部３４へ出力したりする。上位アプリケーションデータ・上位レイヤ処理部３４は、切替処理部３３を介して信号を入出力するとともに、上位アプリケーションや上位レイヤとの間で情報のやりとりを行う。
【００３９】
以上の構成によって、移動体機３は、狭域無線通信システムと広域無線データ通信システムとの通信機能を実現する。例えば、一方の通信システムにおいてパケットの不達が発生した場合に通信システムを切り替えて通信を継続する。また、本システムでは、狭域無線通信システムの通信チャンネル上でブロードキャストされる信号が、広域無線データ通信システムの報知情報を含むようにしておく。そして、無線システムの切替えの際に狭域無線通信システムから広域無線データ通信システムへの切替えを実施する場合には、移動体機３がその情報を路側装置４から受信できるようにしておく。そうすることによって無線システム間の切替え時間を大幅に削減することが可能である。
【００４０】
図５の構成では、上位アプリケーションデータ・上位レイヤ処理部３４において、例えば上位アプリケーションや上位レイヤから送られてきた信号に対して、狭域無線通信システム用の信号とするのか、広域無線データ通信システム用の信号とするのか、あるいは両方に振り分けて送信するのかといった判定とそれに応じた処理を行う。したがって、例えば、ベースバンド処理部３１１又はベースバンド処理部３２１においては、上位レイヤとのやりとりを考慮した信号処理を行わなくてもよくなる。
【００４１】
図６は、本発明の通信システムの構成例を示す他のシステム図である。図６において図１のものに対応する構成には同一の符号を付け説明を省略する。図６において、図１のＤＳＣＲ制御装置１０に対応する構成が、狭域無線通信システムネットワーク１０１、ネットワーク制御装置１０２、ＡＰ（アプリケーション）サーバ１０３、ゲートウェイ１０４、複数のゾーン制御装置１０５及び複数の広域無線報知情報質問部１０６である。図１の広域無線データ通信集中制御装置１３に対応する構成が、広域無線通信システムネットワーク１３１、ＰＤＳＮ（Ｐａｃｋｅｔ  Ｄａｔａ  Ｓｅｒｖｉｎｇ  Ｎｏｄｅ）１３２、基地局装置集中局１３３、位置登録管理サーバ１３４、及びゲートウェイ１３５である。各構成は、ハードウエア単体、ハードウエアとソフトウエアの組合せ、あるいはソフトウエア単体から構成されている。
【００４２】
ネットワーク制御装置１０２は、自装置又は狭域無線通信システムネットワーク１０１に接続されている各装置間の通信の制御を行う。ＡＰサーバ１０３は、アプリケーションレイヤにおける処理を行う装置である。ゲートウェイ１０４はゲートウェイ１３５に所定の通信回線（通信網）（図１のネットワーク１１に対応）を介して接続されて情報を双方向に伝送する。各ゾーン制御装置１０５は、一定の範囲に配置された複数のＤＳＲＣ路側機４をそれぞれ制御する。広域無線システム報知情報質問部１０６は、狭域無線の通信エリア（ゾーン）を包含する広域無線データ通信システムの通信エリア（セル）の報知情報をゲートウェイ１０４経由で広域無線データ通信基地局装置（基地局制御装置）１２に問い合わせる機能を提供する。
【００４３】
ＰＤＳＮ１３２は、通信機能によるＰＰＰ（Ｐｏｉｎｔ−ｔｏ−Ｐｏｉｎｔ  Ｐｒｏｔｏｃｏｌ）セッションを終端し、通信機能が接続しようとするパケット・データ・ネットワークにデータをルーティングする機能を提供する。基地局装置集中局１３３は、複数の広域無線データ通信基地局装置１２を集中制御する。位置登録管理サーバ１３４は、各移動体機３の位置情報を登録・管理する。
【００４４】
以上の構成において、広域無線システム報知情報質問部１０６は、狭域無線の通信エリアを包含する広域無線データ通信システムの通信エリアの報知情報の送信要求を、ゾーン制御装置１０５を介してＡＰサーバ１０３に対して発行する。ＡＰサーバ１０３は、受信した報知情報の送信要求を所定の形式に変換して、ゲートウェイ１０４及びゲートウェイ１３５経由で、ＰＳＤＮ１３２に対して送信する。ＰＳＤＮ１３２は、受信した情報に基づいて、当該ゾーン制御装置１０５の制御範囲を通信エリアとする基地局９に対して、報知情報の問い合わせを行う。基地局９から返された報知情報は、ＰＳＤＮ１３２、ゲートウェイ１３５及びゲートウェイ１０４、ＡＰサーバ１０３、ならびに当該ゾーン制御装置１０５を介して、ＤＳＲＣ路側機４から送信される。
【００４５】
図７は、図１〜図６を参照して説明した移動体機３−ＤＳＲＣ路側機４−ネットワーク１１で流れるデータフレームの構成例を示す図である。この例では、アプリケーションレイヤのデータの最初の５オクテッドを本実施の形態用のデータに用いている。５オクテッドの内の最初の１オクテッドを識別コードとして、狭域無線ブロードキャスト、狭域無線ユニキャスト、広域無線ブロードキャスト、広域無線ユニキャスト等の種別が表示される。次の４オクテッドがヘッダとして、識別コードの内容に応じて異なる情報を表示するようになっている。例えば狭域無線ブロードキャストの場合にはヘッダ４オクテッドのうちの２オクテッドで送信先グループが表示される。ユニキャストの場合にはヘッダ４オクテッドで送信先識別コードが表示される。広域無線ブロードキャストの場合にはヘッダ４オクテッドのうちの最初の１オクテッドで送信元のシステム識別子、次の２オクテッドで送信先グループが表示される。送信元のシステム識別子には、広域無線データ通信システムの方式を示す情報等が表示される。
【００４６】
以上のように、本実施の形態によれば、ＤＳＲＣなどの通信範囲の限られている狭域無線通信システムとセルラーシステム等の広域無線通信システムとを兼ね備える通信システムにおいて、通信範囲の限られている狭域無線通信システムから広域無線通信システムに通信チャンネルを切替える場合、通信範囲の限られている狭域無線通信システムとの通信中に広域無線通信システムの報知情報の取得や位置登録動作を行うようにしたので、通信範囲の限られている狭域無線通信システムから広域無線通信システムへの切替え動作をよりスムースに行うことが出来る。
【００４７】
以上、この発明の実施形態を詳述してきたが、具体的な構成はこの実施形態に限られるものではなく、この発明の要旨を逸脱しない範囲の設計変更等も含まれる。たとえば移動体機における各処理部を構築するにあたって、ＣＰＵを内蔵したベースバンドプロセッサに所定のプログラムを組み込むことにより各処理部の機能を実現する形態が一般的であるが、かかる形態において一連の処理をベースバンドプロセッサのみではなくＤＳＰ（Ｄｉｇｉｔａｌ  Ｓｉｇｎａｌ  Ｐｒｏｃｅｓｓｏｒ）などのローカルＣＰＵに適宜分散して実行することは設計上任意に選択し得る事項である。また上記のプログラムは、コンピュータ読み取り可能な記録媒体に記録されて頒布されることができ、機能の一部を実現する形態で頒布されるものであっても良い。たとえばＯＳ（オペレーション・システム）が提供する基本機能を利用したアプリケーションソフトの形式で頒布されるものであっても良い。さらにコンピュータシステムにすでに記録されている既存システムのプログラムとの組み合わせで所定の機能を実現できるもの、いわゆる差分プログラムで頒布される形態をとることも可能である。
【００４８】
また上記のコンピュータ読み取り可能な記録媒体には、可搬型の磁気ディスクや光磁気ディスク等の記憶媒体等以外にも、ハードディスク等の記憶装置その他不揮発性の記憶装置を含む。さらにインターネットその他のネットワーク等、任意の伝送媒体を介して他のコンピュータシステムから提供される形態でも良い。この場合、「コンピュータ読み取り可能な記録媒体」には、ネットワーク上のホストやクライアントとなるコンピュータシステム内部の揮発性メモリのように、伝送媒体において一定時間プログラムを保持しているものも含む。
【００４９】
また上記においてメインのＣＰＵやローカルのＣＰＵによる分散処理方式により制御部を構築する形態に言及したが、少なくともその一部のプロセッサをＦＰＧＡ（Ｆｉｅｌｄ Ｐｒｏｇｒａｍｍａｂｌｅ Ｇａｔｅ Ａｌｌｅｙ）などのハードウエア回路により構築する形態も可能である。ＦＰＧＡに組み込む回路プログラム情報の頒布については、上記のプログラムの頒布と同様に各種の形態をとることも可能である。
【図面の簡単な説明】
【００５０】
【図１】本発明の通信システムの実施の一形態の構成を示した図である。
【図２】図１の実施の形態における制御の手順を示したフローチャートである。
【図３】図１の実施の形態における他の制御の手順を示したフローチャートである。
【図４】図１の実施の形態におけるさらに他の制御の手順を示したフローチャートである。
【図５】図１の移動体機３の構成例を示した図である。
【図６】本発明の通信システムの他の構成例を示した図である。
【図７】本発明の実施の形態における移動体機３−路側機４−ネットワーク１１で流れるデータフレームの図である。
【符号の説明】
【００５１】
２…移動手段  ３…移動体機  ４…ＤＳＲＣ路側機  ５…狭域無線通信システム  ６…通信エリア  ７…広域無線データ通信システム  ８…通信エリア  ９…基地局  １１…ネットワーク  １０６…広域無線システム報知情報質問部
【図１】
2006333336.tif 000003
【図２】
2006333336.tif 000004
【図３】
2006333336.tif 000005
【図４】
2006333336.tif 000006
【図５】
2006333336.tif 000007
【図６】
2006333336.tif 000008
【図７】
2006333336.tif 000009